(57)【特許請求の範囲】
【請求項１】
取付軸の端部に着脱可能な軸孔部材付きコロを有する給紙装置において、コロ内周に嵌着された軸孔部材が軸端を包み込む袋状に形成されており、この袋状軸孔部材の内周領域が、軸線方向に平坦部を有するＤ孔部分と凸部を有する円柱孔部分とからなることを特徴とする給紙装置。
【請求項２】
前記袋状軸孔部材の内周面に凸部が形成され、当該凸部に対応する溝を取付軸が備えていることを特徴とする請求項１に記載の給紙装置。
【請求項３】
軸孔部材外面から突出し、軸孔部材の半径方向に変位可能な爪が形成され、前記凸部が当該爪領域に備えられていることを特徴とする請求項２に記載の給紙装置。
【発明の詳細な説明】
【０００１】
【発明の属する技術分野】
本発明は、複写機、レーザプリンタ、ファックス等の画像形成装置において、載置手段上のシート材を１枚ずつ順次装置本体内に給送する給紙装置に関するものである。
【０００２】
【従来の技術】
複写機等に組み込まれた給紙装置の給紙コロは、使用につれて表面の摩擦抵抗が変化し、次第に所定の紙送りができなくなるため、一般に交換部品になっており、サービスマンやユーザによって保守交換される必要がある。
【０００３】
従来、給紙コロは、図３に示されるように、当該コロ１を支持する軸２の軸端に、回転自在に又は軸と一体で回転するように構成されていて、スラスト方向の抜け防止のために、軸端に設けられた溝３に対して止め輪４を締結することが行われている。あるいはコロ自身の内周壁或いは当該コロに嵌着された軸孔部材内周部分に形成された凸部分を軸溝に嵌合させて、抜け防止を行うこともある。
【０００４】
またフィードローラ、リバースローラ及びピックアップローラのように、複数の給紙コロを有する給紙装置では、支持軸に対して回転自在にコロを支持する構成と、軸と共に回転するようにコロを支持する構成が同時に備えられているが、両構成ではコロ形状が相互に異なるため、区別して取り付ける必要がある。即ち、図４に示されるように、回転自在にコロを支持する場合には、当該コロ１’には通常の円柱孔を有する軸孔部材５を嵌着させて、この軸孔部材５の円柱孔に溝付き軸２を嵌挿するのに対して、コロを軸と共に回転させる場合には、コロ１''にＤ孔を有する軸孔部材６を嵌着させて、Ｄ孔に対応すべくＤカットされ部分的に平坦部を有した溝付き軸１２を軸孔部材６のＤ孔に嵌挿するようになっている。
【０００５】
【発明が解決しようとする課題】
更に従来のコロでは、コロ両端が開放されているので、軸にコロをセットする際に本来とは逆の方向からコロを挿入することもあった。通常は、同軸上でコロに隣接嵌合する部品等があり、逆方向にセットした場合でも、その嵌合部が合わなかったり、軸端でコロのスラストを止める止め軸が組付けられない等の状態となることで、逆セットの防止がなされているが、このような関係では、一旦コロを組付ける作業をして始めて誤りに気づくことができるものであり、組付け作業を煩雑なものにしている。装置の組付けに日々従事する組付け作業者であれば、部品形状によってセット方向を容易に判別することも可能であるが、サービスマンやユーザ等の保守作業者では正逆を見誤ることも少なくない。
【０００６】
本発明は、以上のような実情に鑑み、給紙コロのセット方向を容易に識別でき、しかも取付軸に対して回転自在なコロとしても当該軸と一体的に回転すべきコロとしても区別なく用いることができる給紙装置を提供することを課題にするものである。
【０００７】
【課題を解決するための手段】
上記課題を解決するために、本発明にしたがい、取付軸の端部に着脱可能な軸孔部材付きコロを有する給紙装置において、コロ内周に嵌着された軸孔部材が軸端を包み込む袋状に形成されており、この袋状軸孔部材の内周領域が、軸線方向に平坦部を有するＤ孔部分と凸部を有する円柱孔部分とからなっている。
【０００８】
上記袋状軸孔部材の内周面に凸部が形成され、当該凸部に対応する溝を取付軸が備えていれば、好適である。また軸孔部材外面から突出し、軸孔部材乃至コロの半径方向に変位可能な爪が形成され、上記凸部が当該爪領域に備えられていれば、一層効果的である。
【０００９】
【発明の実施の形態】
本発明の詳細を、図に示した実施の形態に基づいて具体的に説明する。
図１に本発明の典型的な一形態を示す。この給紙装置においては、コロ１の内周に嵌着された軸孔部材８は、上記従来例の貫通孔とは異なり、軸端を包み込むように、めくら孔状態に形成されており、また爪部８ａを有している。更に当該軸孔部材８は、爪部８ａの内周面側に凸部８ｂを有している。通常の円柱軸２が軸孔部材８に嵌挿されると、図１（ｂ）に示されるように、軸２の軸端近傍に形成された溝３に軸孔部材８の凸部８ｂが係合し、コロ１がスラスト方向にずれないように、且つ軸に対してコロが回転自在であるようになる。そして軸孔部材８のめくら孔底部近傍はＤ孔部分８ｃに形成されているので、Ｄカット部９ａを先端に有する軸９を嵌挿すると、コロ１は軸９と一体に回転するように支持されることとなる。
【００１０】
爪８ａを半径方向に押し開くことによって、凸部８ｂを溝３から退避させ、コロ１を軸２（９）から取り外すことができることとなる。またコロ１を軸２（９）にセットする際には、軸孔部材８が袋状に形成されていることで、差し込み方向を誤ることがない。
【００１２】
以上より、めくら孔状の軸孔部材にＤ孔部分を有するようにすることで、コロを回転自在にも軸と一体に回転させるようにすることができ、同じコロ１を給紙機構の複数の軸に取り付けることが可能となり（図２）、図５に示された従来構成のように異なるコロを準備する必要がなくなったので、保守交換性が向上することとなった。
【００１４】
【発明の効果】
本発明に係る給紙装置によれば、取付軸の端部に着脱可能なコロ内周嵌着軸孔部材が軸端を包み込む袋状に形成されているので、コロのセット方向が明確となり、装置組立時や保守交換の際に、組付けを誤ることがなくなり、その作業が容易となった。そして上記袋状軸孔部材の内周領域が、軸線方向に平坦部を有するＤ孔部分と凸部を有する円柱孔部分とからなっていれば、軸に対して回転自在なコロとしても、軸と一体的に回転すべきコロとしても用いることができ、軸毎に異なるコロを用意する面倒がなくなり、組付・交換作業が容易になるとともに、部品の共通化でコストメリットも生じる。
【００１５】
また袋状軸孔部材の内周面に凸部を形成し、当該凸部に対応する溝を取付軸に備えるようにすることで、止め輪が不要となり、請求項１の構成に比べても一段と作業性が向上することとなった。軸孔部材外面から突出し、軸孔部材乃至コロの半径方向に変位可能な爪を形成し、上記凸部を当該爪領域に備えるようにすれば、コロの取外しが更に容易である。
【図面の簡単な説明】
【図１】本発明に係る給紙装置のコロと取付軸の関係を示す図で、（ａ）はその取付斜視図、（ｂ）はコロが軸に対して回転自在である場合の断面概略図、（ｃ）はコロが軸と一体的に回転する場合の断面概略図である。
【図２】図１に係るコロを、給紙装置のフィード、リバース、ピックアップ用の各軸に取り付ける場合の概要図である。
【図３】従来の給紙装置のコロと取付軸の関係を示す図で、（ａ）はその取付斜視図、（ｂ）は断面概略図である。
【図４】従来例として給紙コロを、給紙装置のフィード、リバース、ピックアップ用の各軸に取り付ける場合の概要図である。
【符号の説明】
１    コロ
２    軸
３    溝
８    軸孔部材
８ａ  爪部
８ｂ  凸部
【図１】
0003576713.tif 000002
【図２】
0003576713.tif 000003
【図３】
0003576713.tif 000004
【図４】
0003576713.tif 000005